(57)【特許請求の範囲】
【請求項１】
地中に埋設されたますから地表に向けて立上る立上り管上に配置され、かつ、蓋本体が取り付けられる蓋枠において、
前記蓋本体を受容する蓋本体受容部と、
該蓋本体受容部の下面から下方に差し出された立上り管挿入部と、
該立上り管挿入部が前記立上り管の上端開口に挿入された状態で該立上り管周辺の地盤上面に当接して前記蓋本体受容部を支持する支持部と
を備え、
前記支持部は、前記蓋本体受容部の外周から下方に向けて、前記立上り管挿入部の外周側に立上り管挿入溝を介して配設されてなり、前記立上り管挿入部が前記立上り管の上端開口に挿入されかつ前記支持部の下端が前記地盤上面に当接した状態で、前記立上り管挿入溝に該立上り管の上端部が挿入されるように設定されている蓋枠と、該蓋枠に取り付けられる蓋本体とからなるます蓋の施工方法であって、
前記蓋枠の前記蓋本体受容部は、平面視矩形の蓋本体が取り付けられる平面視矩形状であり、
該蓋本体受容部に設けられた立上り管挿入部が、円筒形状の立上り管の上端開口に挿入される円筒形状であって、
前記蓋本体受容部の少なくとも１辺は、前記立上り管挿入部の外径に等しく設定されており、
前記立上り管の周囲に地盤を形成した後、該立上り管の該地盤上面からの突出高さＬ１が、
０≦Ｌ１≦ｈ  （ｈ＝前記立上り管挿入溝の溝深さ）
の範囲内となるように該立上り管の高さを設定し、次に、該立上り管の上端開口に前記蓋枠の前記立上り管挿入部を挿入すると共に前記立上り管挿入溝に該立上り管の上端部を挿入し、さらに前記支持部の下端を該地盤上面に当接させて該蓋枠を該立上り管上に配置することを特徴とするます蓋の施工方法。
【請求項２】
前記地盤上には仕上げ部材が敷設されており、前記蓋枠の前記支持部の下端が前記地盤上面に当接した位置で、該蓋本体受容部に取り付けられた蓋本体の上面と、前記仕上げ部材の上面とを面一とすることを特徴とする請求項１に記載のます蓋の施工方法。
【請求項３】
前記立上り管の管軸方向に対して傾斜させて地盤上面を形成し、前記立上り管挿入溝に該立上り管の上端部を斜めに挿入し、前記地盤上面に前記蓋枠の前記支持部の下端を当接して蓋枠を配置する請求項１又は請求項２に記載のます蓋の施工方法。
【発明の詳細な説明】
【技術分野】
【０００１】
本発明は、地中に埋設された排水ますや雨水ます等のますに立設された立上り管上に配
置されるます蓋の施工方法に関するものである。
【背景技術】
【０００２】
従来、宅地内等の地中に埋設された排水ますや雨水ます等のますには、地表に向けて立
ち上がる立上り管が接続されている。さらにこの立上り管の上端には、蓋枠が取り付けら
れ、この蓋枠に蓋本体が取り付けられる（例えば、特許文献１参照。）。この蓋枠は、蓋
本体を支持する蓋本体受容部と、該蓋本体受容部の中央から下方へ突出して前記立上り管
の上端開口に内嵌される筒形の内嵌部とを備えている構成が一般的である。
【０００３】
また、上記のような立上り管が設置される現場には、例えば、インターロッキングブロ
ック、レンガ、石材、人工芝等の仕上げ部材が敷設される場合があり、周囲の仕上げ部材
と同様の意匠又は素材が上面に施された化粧蓋が取り付けられる場合があることもよく知
られている（例えば、特許文献２，３参照。）。
【０００４】
ここで、前記のような仕上げ部材が敷設される現場の施工手順を簡単に説明する。
まず、排水ます等のますを地中に配置すると共に、該ますに立上り管を立設する。この
ときの立上り管の高さは、施工完了時における立上り管の高さよりも余分に突き出した高
さとしておくことが施工上望ましい。そして、該立上り管の周りを埋め戻して埋め戻し層
を形成し、さらに、該埋め戻し層上にモルタル下地層を形成して、立上り管の周囲に地盤
を形成する。このように立上り管周辺の地盤面が整地されたところで、当該立上り管の余
分に突き出した部分を切断し、当該立上り管を所要高さに仕上げ、該立上り管の上端に蓋
枠を取り付ける。図９に従って具体的に説明すると、従来の蓋枠ａは、埋め戻し層ｄとモ
ルタル下地層ｅとが周辺に配された立上り管ｂの上端に装着されるものであって、該蓋枠
ａには、立上り管ｂの上端部と当接する当接部ｃが設けられている。したがって、上記従
来の蓋枠ａにあっては、該立上り管ｂの高さが、直接、該蓋枠ａの高さを規定することと
なる。このため、前記蓋本体ｉの上面を、例えば前記モルタル下地層ｅに目地剤ｊを介し
て敷設されるインターロッキングブロック等の仕上げ部材ｆの上面と面一に仕上げる場合
は、施工完了状態を考慮しながら立上り管ｂの高さを正確に設定し、精度良く切断する必
要がある。
【０００５】
【特許文献１】特開平１１−３６３４８号公報
【特許文献２】実開昭６３−１０４４４３号公報
【特許文献３】実開平３−１３３５１号公報
【発明の開示】
【発明が解決しようとする課題】
【０００６】
しかしながら、上記施工手順にあっては、立上り管の高さの誤差が、直接蓋本体上面の
高さの不具合となるため、立上り管を切断して突出高さを適正高さとする際には極めて正
確かつ精密に現場にて作業しなければならず、作業負担が大きかった。また、立上り管の
切断箇所が仕上げ面（いわゆるグランドレベル）より低い場合は公知のインカッターを使
用して立上り管の切断作業が現場で行われることとなり、その切断作業はさらに熟練を要
し、施工が大変面倒であった。
【０００７】
そこで本発明は、立上り管の切断作業が容易となるます蓋の施工方法を提供することを目的とする。
【課題を解決するための手段】
【０００８】
本発明に使用する蓋枠は、地中に埋設されたますから地表に向けて立上る立上り管５上に配置され、かつ、蓋本体３が取り付けられる蓋枠２Ａ〜２Ｃにおいて、前記蓋本体３を受容する蓋本体受容部２０と、該蓋本体受容部２０の下面から下方に差し出された立上り管挿入部２１と、該立上り管挿入部２１が前記立上り管５の上端開口に挿入された状態で該立上り管５周辺の地盤ｇ上面に当接して前記蓋本体受容部２０を支持する支持部２２とを備え、前記支持部２２は、前記蓋本体受容部２０の外周から下方に向けて、前記立上り管挿入部２１の外周側に立上り管挿入溝Ｐを介して配設されてなり、前記立上り管挿入部２１が前記立上り管５の上端開口に挿入されかつ前記支持部２２の下端が前記地盤ｇ上面に当接した状態で、前記立上り管挿入溝Ｐに該立上り管５の上端部が挿入されてなることを特徴とする。
【０００９】
かかる構成は、使用状態において蓋本体受容部２０が地盤ｇ上面に対して支持部２２で支持されることとなるのであり、従来構成のように蓋本体受容部が立上り管の上端で支持されるのではない。このため、本発明の蓋枠２Ａ〜２Ｃにおいては、蓋上面の高さは、立上り管５の突出高さに依存しない。したがって、施工時に立上り管５の切断作業に高い精度は要求されず、蓋枠２Ａ〜２Ｃを地盤ｇ上面に配置するという簡単な作業だけで、所望の蓋本体３上面の高さが得られる。
【００１０】
（削除）
【００１１】
更に、前記支持部２２が前記立上り管挿入部２１から所定間隔を置いて前記蓋本体受容部２０の外周に形成されてなる。かかる構成についてさらに詳述すると、該蓋枠２Ａ〜２Ｃを立上り管５上に配置する際には、該立上り管５の上端部が前記立上り管挿入溝Ｐに進入する。ここで、上述のように蓋枠２Ａ〜２Ｃは地盤ｇ上面に対して支持部２２で支持されるため、立上り管５の上端部は蓋枠２Ａ〜２Ｃを支持する機能を有していなくてよい。すなわち、前記支持部２２の下端が地盤ｇ上面に当接した際には、立上り管５の上端部は立上り管挿入溝Ｐ内の任意の位置に介挿されていればよいこととなり、地盤ｇ表面から突き出る立上り管５の高さにつきある程度の誤差が許容されて、立上り管５を正確に切断する現場作業が不要となる。
更に前記蓋枠２Ａ〜２Ｃの前記蓋本体受容部２０は、平面視矩形の蓋本体３が取り付けられる平面視矩形状であり、該蓋本体受容部２０に設けられた立上り管挿入部２１が、円筒形状の立上り管５の上端開口に挿入される円筒形状であって、前記蓋本体受容部の少なくとも１辺は、前記立上り管挿入部２１の外径に等しく設定されている。
かかる構成とすることにより、立上り管の外径に対して最小限の蓋面積が確保されるこ
ととなり、施工現場において省スペース化が図られ、立上り管を密集させて設けることが
可能となる。勿論、前記矩形には、正方形や長方形等が含まれる。
【００１２】
本発明は、上記構成の蓋枠と、該蓋枠に取り付けられる蓋本体とからなるます蓋の施工方法であって、立上り管の周囲に地盤を形成した後、該立上り管の該地盤上面からの突出高さＬ１が、
０≦Ｌ１≦ｈ  （ｈ＝前記立上り管挿入溝の溝深さ）
の範囲内となるように該立上り管の高さを設定し、次に、該立上り管の上端開口に前記蓋
枠の前記立上り管挿入部を挿入すると共に前記立上り管挿入溝に該立上り管の上端部を挿
入し、さらに前記支持部の下端を該地盤上面に当接させて該蓋枠を該立上り管上に配置す
ることを特徴とするます蓋の施工方法に関するものである。
【００１３】
上記施工方法では、立上り管を上記範囲で長さ設定すればよく、正確に切断しなくても蓋枠を地盤上面に対して一定の高さで配置することができるため、現場での作業負担が飛躍的に軽減される。
【００１４】
上記施工方法では、前記地盤上には仕上げ部材が敷設されており、前記蓋枠の前記支持
部の下端が前記地盤上面に当接した位置で、該蓋本体受容部に取り付けられた蓋本体の上
面と、前記仕上げ部材の上面とを面一とすることが望ましい。
【００１５】
かかる構成とすることにより、簡易な施工で、整一な仕上がりの地表面を形成すること
ができる。
【００１６】
また、前記立上り管の管軸方向に対して傾斜させて地盤上面を形成し、前記立上り管挿
入溝に該立上り管の上端部を斜めに挿入し、前記地盤上面に前記蓋枠の前記支持部の下端
を当接して蓋枠を配置する構成としてもよい。
【００１７】
かかる構成にあっては、立上り管挿入溝と該立上り管挿入溝内における立上り管の上端
部との間にいわゆる「遊び」を設け、立上り管の上端部を立上り管挿入溝内において相対
的に斜めに挿入する。かかる構成とすることにより、垂直な立上り管に対して斜めに傾斜
させて蓋本体を配置したり、斜めに立ち上がる立上り管に対して水平に蓋本体を配置した
りすることができる。
【００１８】
（削除）
【００１９】
（削除）
【発明の効果】
【００２０】
本発明は、簡易な施工で確実にます蓋を設置することができる利点があり、また立上り
管の切断作業に高度な熟練を要しないため、作業負担が飛躍的に軽減されて施工時間を短
縮化することができる効果がある。
【発明を実施するための最良の形態】
【００２１】
蓋枠２Ａと蓋本体３とで構成されているます蓋１ａの実施例を添付図面に従って説明す
る。
【００２２】
図１に示すように、地中には、ますとしての排水ます４Ａが埋設されている。該排水ま
す４Ａには、所定勾配で配された排水管４Ｂ，４Ｂが両側から接続されていると共に、地
表に向かって起立状に立上り管５が接続されている。なお、前記排水ます４Ａ、排水管４
Ｂ、及び立上り管５は、公知品が好適に採用される。
【００２３】
また、前記立上り管５の周囲には、掘削された土が埋め戻されてなる埋め戻し層８と、
該埋め戻し層８上に配されたモルタル下地層７とからなる地盤ｇが形成されている。また
、さらに該モルタル下地層７上には、目地剤１１を介して仕上げ部材としてのインターロ
ッキングブロック６が複数並べて敷設され、該インターロッキングブロック６の上面によ
り、いわゆるグランドレベルＧＬ（地表）が構成されている。なお、該モルタル下地層７
は、その他の材料を用いて下地層としても勿論よい。また、前記仕上げ部材は、特にイン
ターロッキングブロック６に限定されることはなく、石材、素焼きレンガ、タイル、人工
芝等の他の部材が使用されても勿論よい。
【００２４】
また、前記立上り管５の上端には、本発明に係る蓋枠２Ａが配置され、さらに該蓋枠２
Ａに化粧蓋本体３（蓋本体）が取り付けられている。
【００２５】
そしてさらに、図１に示す施工完了状態にあっては、化粧蓋本体３の上面と、インター
ロッキングブロック６の上面とが面一となる。これにより、整一な仕上がりの地表面が形
成されている。
【００２６】
次に、上記化粧蓋本体３について説明する。
化粧蓋本体３は、図２，５に示すように、受け部９Ａと、内嵌部９Ｂと、仕上げ部とし
てのインターロッキングブロック６とで構成されている。さらに詳述すると、図５に示す
ように、前記受け部９Ａは、平面視正方形状の皿形状であり、該受け部９Ａの下面中央か
ら円筒形の内嵌部９Ｂが下方へ突出している。また、前記受け部９Ａに、前記インターロ
ッキングブロック６と同一素材からなるインターロッキングブロック６が目地剤１１を介
して配設されている。なお、前記内嵌部９Ｂの外周には、円環状のゴムパッキン４０Ａが
被着されており、当該内嵌部９Ｂが後述の蓋枠２Ａの円形開口２４に挿入されると、該内
嵌部９Ｂが該円形開口２４に対して水密状に内嵌される。
ところで、前記受け部９Ａを平面視正方形状とすると、矩形状のインターロッキングブ
ロック６で構成される化粧蓋本体３が製造し易いと共に、模様合わせが容易となり、また
施工時の美観も向上する。
【００２７】
次に、本発明の要部に係る蓋枠２Ａについて説明する。
蓋枠２Ａは、図２，３，５に示すように、平面視正方形状の蓋本体受容部２０を備えて
いる。この蓋本体受容部２０は、水平の底部２０Ｂと該底部２０Ｂの周縁から垂直に起立
した側壁２０Ａとを備えると共に、前記底部２０Ｂの中央に円形開口２４が形成されてい
る。そして、該円形開口２４に前記化粧蓋本体３の内嵌部９Ｂが挿入され、かつ該底部２
０Ｂと前記該化粧蓋本体３の下面とが面接触するようにして、かかる蓋本体受容部２０に
、前記化粧蓋本体３が受容される。すなわち、前記底部２０Ｂの上面が化粧蓋本体３を支
持する支持面となっている。
【００２８】
また、前記蓋本体受容部２０の下面中央からは、前記円形開口２４と連通した円筒形の
立上り管挿入部２１が下方に向けて突出状に差し出されている。さらに、この立上り管挿
入部２１の外周には、円環状のゴムパッキン４０Ｂが二つ上下に被着されており、この立
上り管挿入部２１が前記立上り管５の上端開口５Ｂに挿入されると、該立上り管挿入部２
１が立上り管５に水密状に内嵌される。
さらに図６に示すように、蓋本体受容部２０の１辺Ｒ１と、前記立上り管挿入部２１の外径Ｒ２とは等しく設定されている。
かかる構成とすることにより、立上り管５の外径に対して最小限の蓋面積が確保されることとなり、地表面において省スペース化が図られ、立上り管５を密集させて設置することが可能となる。なお、本発明は、蓋本体受容部２０が平面視矩形状であって、該蓋本体受容部２０の少なくとも１辺が、前記立上り管挿入部２１の外径に等しい構成を含むものである。したがって、平面視長方形の蓋本体受容部２０に対して、立上り管挿入部２１の外径が該蓋本体受容部２０の短辺に等しい構成も本発明に含まれる。
【００２９】
さらに、前記蓋本体受容部２０における前記側壁２０Ａの下部には、下方へ突出する支
持部２２が前記立上り管挿入部２１の外周側に該立上り管挿入部２１に対して間隔を置い
て形成されている。なお、該支持部２２は、蓋本体受容部２０の外周において４つの角部のそれぞれにＬ字状に形成されている。そして、該支持部２２と、前記立上り管挿入部２１の両端部との間隙が、前記立上り管５の肉厚と略等しい溝幅で下方に向けて開口した立上り管挿入溝Ｐとなっている。なお、前記支持部２２は、蓋本体受容部２０の外周から立上り管挿入溝Ｐを介して配設されることとなり、該支持部２２の下端は、施工完了状態にあって、前記モルタル下地層７上面（すなわち地盤ｇ上面）に当接することとなる。
【００３０】
また、前記立上り管挿入溝Ｐは、施工完了状態にあって、下方から進入した立上り管５
の上端部５Ａが挿入される。なお、かかる立上り管挿入溝Ｐの作用効果については、後で
詳しく述べる。
【００３１】
次に、ます蓋１ａの施工手順を説明する。
まず、排水ます４Ａを地中に配置すると共に、該排水ます４Ａの上に立上り管５を立設
する。ここで、この時点での立上り管５の上端部５Ｃ（以下、仮上端部５Ｃという。）は
、後述するモルタル下地層７の打設等の作業性を良好とすべく、図４に示すように、施工
完了時の高さよりも余分に突き出した高さとしておくのが望ましい。例えばモルタル下地
層７の上面となるラインから立上り管５の仮上端部５Ｃまでの突出高さをＬ２としておく
。
【００３２】
立上り管５を立設した後、該立上り管５の周りを埋め戻して埋め戻し層８を形成し、さ
らに、該埋め戻し層８上にモルタルを打設してモルタル下地層７を形成する。ここで、モ
ルタル下地層７の上面となるラインは、後述するように、施工完了時のインターロッキン
グブロック６の上面高さ（いわゆるＧＬ）を考慮して設定される。なお、上述した排水ま
す４Ａの配置、排水ます４Ａと立上り管５の接続、埋め戻し、モルタルの打設は公知技術
が好適に採用される。
【００３３】
そして次に、前記立上り管５の余分な突き出し部分を切断して、該立上り管５における
モルタル下地層７上面からの突出高さをＬ１とする。ここで、この突出高さＬ１は、後述
するように、０≦Ｌ１≦ｈ（ｈ＝立上り管挿入溝Ｐの溝深さ）の範囲内にある高さとすれ
ばよく、特に厳密な高さ精度は要求されない。ここで、勿論、立上り管５の立設時におい
てあらかじめ突出高さＬ２が、０≦Ｌ２≦ｈの範囲となるように設定されている場合は、
特段、上述のような切断作業は必要でない。なお、前記の高さ「ｈ」は、立上り管挿入溝
Ｐの溝深さに相当する。
【００３４】
次に、突出高さＬ１とされた立上り管５の上端に、蓋枠２Ａを配置する。具体的には、
蓋枠２Ａの立上り管挿入部２１を前記立上り管５の上端開口５Ｂに挿入する。そして、そ
のまま蓋枠２Ａを下方に押し下げていき、当該蓋枠２Ａの支持部２２の下端をモルタル下
地層７の上面と当接させる。そうすると、蓋枠２Ａが立上り管５に固定されて蓋枠２Ａが
位置決めされる。ところで、蓋枠２Ａを下方に押し下げる過程にあっては、立上り管５の
上端部５Ａが、蓋枠２Ａの立上り管挿入溝Ｐに挿入される。そして、蓋枠２Ａが固定され
た状態にあっては、立上り管５の上端部５Ａが該立上り管挿入溝Ｐ内に位置することとな
る。なお、該立上り管挿入溝Ｐの左右方向の溝幅は、立上り管５の肉厚と略等しくなるよ
うに寸法設計されているため、蓋枠２Ａはガタツキなく立上り管５に連結される。
【００３５】
ところで、上述のように、蓋枠２Ａの装着前に、立上り管５の突出高さＬ１を予め０≦
Ｌ１≦ｈとしておくことによって、立上り管５の上端部５Ａは、適正に立上り管挿入溝Ｐ
内に収まることとなる。逆に、ｈ＜Ｌ１であると、支持部２２の下端がモルタル下地層７
に当接する前に、立上り管５の上端部５Ａが立上り管挿入溝Ｐの溝底に突き当たってしま
って適正な配置が行なえない。また、突出高さＬ１をモルタル下地層７の上面より低く設
計してしまうと、インカッター等の特殊工具を使用する必要があり、作業効率が悪化する
。
【００３６】
上記手順により蓋枠２Ａが立上り管５上に配置された後、該蓋枠２Ａの円形開口２４に
化粧蓋本体３の内嵌部９Ｂを上から挿入し、該化粧蓋本体３を前記蓋本体受容部２０に収
容する。このとき、周囲のインターロッキングブロック６の上面と、当該化粧蓋本体３の
上面とは面一となる。
【００３７】
このように、本発明に係る蓋枠２Ａを使用すれば、施工時に立上り管５の上端部５Ａを
、立上り管挿入溝Ｐ内に収まる範囲内で切断すればよく、従来のように立上り管５を正確
かつ精密に切断して高さ設定しておく必要がない。そして、地盤上面（上記実施例にあっ
てはモルタル下地層７の上面）に対して確実に一定高さで蓋枠２Ａを設置できる。このた
め、ます蓋１ａの現場施工が、極めて簡便なものとなり、施工に高度な熟練を要しない。
【００３８】
なお、本蓋枠２Ａは、施工完了時にインターロッキングブロック６と化粧蓋本体３の上
面とが面一となるように、寸法設計されて成形加工される。なお、本実施例に係る蓋枠２
Ａは、塩ビ材料で射出成形されたものであるが、特にこれに限定されることはない。
【００３９】
〈変形例１〉
上記構成の変形例が提案される。
図７は、変形例に係るます蓋１ｂの施工状態を示している。かかるます蓋１ｂは、垂直
に起立した立上り管５の周囲にモルタル下地層７の上面を所定角度で傾斜（図において右
側に下方傾斜）して形成し、さらにこの傾斜に沿って地表面を同様に傾斜させて、該地表
面と面一に化粧蓋本体３を傾斜して設置したものである。
【００４０】
さらに詳述すると、該ます蓋１ｂの蓋枠２Ｂは、前記立上り管挿入溝Ｐの溝幅が、立上
り管５の上端部５Ａの肉厚より十分に幅広とされている。また、該蓋枠２Ｂの立上り管挿
入部２１にはパッキンが被着されていない。
【００４１】
かかる構成にあっては、立上り管挿入溝Ｐと立上り管５の上端部５Ａとの間にいわゆる
「遊び」ができ、立上り管挿入溝Ｐ内で前記上端部５Ａが相対的に斜めに配置される状態
となって垂直な立上り管５に対して該蓋枠２Ｂを傾けて取り付けることが可能となる。換
言すれば、上記した図１に示す構成は立上り管挿入溝Ｐの溝深さ方向と立上り管５の管軸
方向（鉛直方向）とが一致していたが、本変形例においては、前記溝深さ方向（図６にお
いて矢印方向）と前記管軸方向（鉛直方向）とが一致していない。これにより、地盤上面
に沿って該蓋枠２Ｂを傾けて取り付けることが可能となって、さらに化粧蓋本体３の上面
を傾斜した地表面と面一又は平行に取り付けて整一な仕上がりの地表面を形成することが
できる。
【００４２】
なお、前記立上り管５と前記蓋枠２Ｂは、相互に非接触とする構成でもよいが、蓋枠２
Ｂにおける支持部２２を立上り管５の外面にも当接させる、及び／又は、蓋枠２Ｂにおけ
る立上り管挿入部２１の下端を立上り管５の内面に当接させ構成が、蓋枠２Ｂのガタツキ
が防止されて望ましい。ところで、前記の立上り管挿入溝Ｐは、立上り管５の肉厚より広
い溝幅であるから、設置作業が容易である。
【００４３】
また、上記構成は垂直な立上り管５に対して斜めに蓋枠２Ｂを配置する構成であるが、
斜めに立ち上がる立上り管に対して水平に地盤を形成し、該地盤上面に水平に蓋枠を設定
する構成としてもよい。
【００４４】
（削除）
【００４５】
（削除）
【００４６】
〈変形例２〉
さらに、別の変形例のます蓋１ｃが提案される。
図８に示すように、ます蓋１ｃの蓋枠２Ｃは、蓋本体受容部２０の底部を、中央の円形
開口２４に向けて下方傾斜させたテーパー底部２０Ｃとしたものである。そして、本蓋枠
２Ｃには公知のグレーチング蓋本体（蓋本体）５０を取り付ける構成が望ましい。かかる
構成とすることにより、地表面でグレーチング蓋本体５０に向かって雨水が流れた際にも
、グレーチング蓋本体５０にある通水孔から落下した雨水が蓋枠２Ｃのテーパー底部２０
Ｃ上を流れ、適正に立上り管５へ該雨水を案内することが可能となる。
【００４７】
なお、これまでに述べた当該蓋枠２Ａ〜２Ｃは、雨水ます用でも浸透ます用でもよく、
蓋本体３，５０としては、マンホール蓋、又はグレーチング蓋等が目的に応じて使用され
てもよい。
【００４８】
また、上記蓋枠２Ａ〜２Ｃは、本発明の要旨を逸脱しない限り、適宜設計変更すること
が可能である。
【図面の簡単な説明】
【００４９】
【図１】施工完了状態を示すます蓋１ａの縦断側面図である。
【図２】化粧蓋本体３と蓋枠２Ａの縦断側面図である。
【図３】図２の拡大縦断側面図である。
【図４】立上り管５の仮上端５Ｃを示す説明図である。
【図５】化粧蓋本体３、蓋枠２Ａ、及び立上り管５の外観斜視図である。
【図６】蓋枠２Ａの底面図である。
【図７】変形例１に係るます蓋１ｂの施工状態を説明する説明図である。
【図８】変形例２に係る蓋枠２Ｃの縦断側面図である。
【図９】従来例の蓋枠ａを示す縦断側面図である。
【符号の説明】
【００５０】
１ａ〜１ｃ    ます蓋
２Ａ〜２Ｃ    蓋枠
３            化粧蓋本体（蓋本体）
４Ａ          排水ます（ます）
５            立上り管
５Ａ          立上り管の上端部
５Ｂ          立上り管の上端開口
６            インターロッキングブロック（仕上げ部材）
２０          蓋本体受容部
２１          立上り管挿入部
２２          支持部
５０          化粧蓋（蓋本体）
ｇ            地盤
Ｐ            立上り管挿入溝
【図１】
0005317514.tif 000002
【図２】
0005317514.tif 000003
【図３】
0005317514.tif 000004
【図４】
0005317514.tif 000005
【図５】
0005317514.tif 000006
【図６】
0005317514.tif 000007
【図７】
0005317514.tif 000008
【図８】
0005317514.tif 000009
【図９】
0005317514.tif 000010